(57)【特許請求の範囲】
【請求項１】
光源から射出された光を画像情報に応じて画像光に変調して投写する画像投写部を有するプロジェクターであって、
外部機器から画像信号を入力する信号入力部と、
前記信号入力部より入力される前記画像信号の画像データを保存する入力画像保存部と、
画像のフォーカスを手動で調整するためのフォーカス調整部と、
前記フォーカス調整部が操作されたことを検出する、フォーカス調整検出部と、
第１テスト画像を保存するテスト画像保存部と、
当該プロジェクターの動作を制御する制御部と、
を備え、
前記制御部は、前記フォーカス調整部の操作を検出すると、前記信号入力部より入力される前記画像信号の画像データを前記入力画像保存部に保存するとともに、前記画像データを前記画像投写部に投写させ、
前記制御部は、前記フォーカス調整部の操作を検出すると、前記第１テスト画像を前記画像投写部に投写されている画像に重畳して投写させることを特徴とする、プロジェクター。
【請求項２】
光源から射出された光を画像情報に応じて画像光に変調して投写する画像投写部を有するプロジェクターであって、
外部機器から画像信号を入力する信号入力部と、
前記信号入力部より入力される前記画像信号の画像データを保存する入力画像保存部と、
画像のズームサイズを手動で調整するためのズーム調整部と、
前記ズーム調整部が操作されたことを検出する、ズーム調整検出部と、
第２テスト画像を保存するテスト画像保存部と、
当該プロジェクターの動作を制御する制御部と、
を備え、
前記制御部は、前記ズーム調整部の操作を検出すると、前記信号入力部より入力される前記画像信号の画像データを前記入力画像保存部に保存するとともに、前記画像データを前記画像投写部に投写させ、
前記制御部は、前記ズーム調整部の操作を検出すると、前記第２テスト画像を前記画像投写部に投写されている画像に重畳させて投写させることを特徴とする、プロジェクター。
【請求項３】
請求項１に記載のプロジェクターであって、
前記制御部は前記第１テスト画像を投写後、所定時間、前記フォーカス調整部の操作を検出しなかったら、前記第１テスト画像の投写を終了し、前記信号入力部から入力される前記画像信号に基づく画像を投写することを特徴とする、プロジェクター。
【請求項４】
請求項２に記載のプロジェクターであって、
前記制御部は前記第２テスト画像を投写後、所定時間、前記ズーム調整部の操作を検出しなかったら、前記第２テスト画像の投写を終了し、前記信号入力部から入力される前記画像信号に基づく画像を投写することを特徴とする、プロジェクター。
【請求項５】
請求項１または３に記載のプロジェクターであって、
ユーザーからの入力操作を受け付ける入力操作部をさらに備え、
前記制御部は、前記第１テスト画像を投写後、前記入力操作部よりテスト画像投写終了操作を受け付けた場合に、前記第１テスト画像の投写を終了し、前記信号入力部から入力される前記画像信号に基づく画像を投写することを特徴とする、プロジェクター。
【請求項６】
請求項２または４に記載のプロジェクターであって、
ユーザーからの入力操作を受け付ける入力操作部をさらに備え、
前記制御部は、前記第２テスト画像を投写後、前記入力操作部よりテスト画像投写終了操作を受け付けた場合に、前記第２テスト画像の投写を終了し、前記信号入力部から入力される前記画像信号に基づく画像を投写することを特徴とする、プロジェクター。
【請求項７】
請求項１、３または５のいずれか１項に記載のプロジェクターであって、
前記制御部は、当該プロジェクターが起動すると、前記第１テスト画像と、前記信号入力部より入力される画像信号に応じた画像データとを前記画像投写部に重畳させて投写させることを特徴とする、プロジェクター。
【請求項８】
請求項２、４または６のいずれか１項に記載のプロジェクターであって、
前記制御部は、当該プロジェクターが起動すると、前記第２テスト画像と、前記信号入力部より入力される画像信号に応じた画像データとを前記画像投写部に重畳させて投写させることを特徴とする、プロジェクター。
【請求項９】
光源から射出された光を画像情報に応じて画像光に変調して投写する画像投写部と、
外部機器から画像信号を入力する信号入力部と、
前記信号入力部より入力される前記画像信号の画像データを保存する入力画像保存部と、
画像のフォーカスを手動で調整するためのフォーカス調整部と、
第１テスト画像を保存するテスト画像保存部と、
を備えたプロジェクターの制御方法であって、
前記フォーカス調整部が操作されたことを検出する、フォーカス調整検出ステップと、
を備え、
前記フォーカス調整部の操作を検出すると、前記信号入力部より入力される前記画像信号の画像データを前記入力画像保存部に保存するとともに前記画像データを前記画像投写部に投写させる入力画像保存ステップと、
前記フォーカス調整部の操作を検出すると、前記第１テスト画像を前記画像投写部に投写されている画像に重畳して投写させるテスト画像表示ステップと、
を有することを特徴とする、プロジェクターの制御方法。
【請求項１０】
光源から射出された光を画像情報に応じて画像光に変調して投写する画像投写部と、
外部機器から画像信号を入力する信号入力部と、
前記信号入力部より入力される前記画像信号の画像データを保存する入力画像保存部と、
画像のズームサイズを手動で調整するためのズーム調整部と、
第２テスト画像を保存するテスト画像保存部と、
を備えたプロジェクターの制御方法であって、
前記ズーム調整部が操作されたことを検出する、ズーム調整検出ステップと、
を備え、
前記ズーム調整部の操作を検出すると、前記信号入力部より入力される前記画像信号の画像データを前記入力画像保存部に保存するとともに前記画像データを前記画像投写部に投写させる入力画像保存ステップと、
前記ズーム調整部の操作を検出すると、前記第２テスト画像を前記画像投写部に投写されている画像に重畳させて投写させるテスト画像表示ステップと、
を有することを特徴とする、プロジェクターの制御方法。
【発明の詳細な説明】
【技術分野】
【０００１】
本発明は、プロジェクター、およびプロジェクターの制御方法に関する。
【背景技術】
【０００２】
従来、プロジェクターの投写中において、フォーカス調整、またはズーム調整時にそれぞれのテストパターンを投写するものが知られている（例えば、特許文献１参照）。
【０００３】
このようなプロジェクターを用いれば、投写中にフォーカス調整またはズーム調整をしたい場合、それぞれのテストパターンを見ながら目的の投写状態に調整することができる。
【先行技術文献】
【特許文献】
【０００４】
【特許文献１】特開平１０−１１１５３２号公報
【発明の概要】
【発明が解決しようとする課題】
【０００５】
投写画像がビデオ入力など動画の場合、常に画像が変化しているので、フォーカス調整またはズーム調整時において投写画像がちらつき、テスト画像が見にくくなり調整しにくいという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて画像光に変調して投写する画像投写部を有するプロジェクターであって、外部機器から画像信号を入力する信号入力部と、前記信号入力部より入力される前記画像信号の画像データを保存する入力画像保存部と、画像のフォーカスを手動で調整するためのフォーカス調整部と、画像のズームサイズを手動で調整するためのズーム調整部と、前記フォーカス調整部が操作されたことを検出する、フォーカス調整検出部と、前記ズーム調整部が操作されたことを検出する、ズーム調整検出部と、第１テスト画像および第２テスト画像を保存するテスト画像保存部と、当該プロジェクターの動作を制御する制御部と、を備え、前記制御部は、前記フォーカス調整部または前記ズーム調整部の操作を検出すると、前記信号入力部より入力される前記画像信号の画像データを前記入力画像保存部に保存するとともに、前記画像データを前記画像投写部に投写させ、前記制御部は、前記フォーカス調整部の操作を検出すると、前記第１テスト画像を前記画像投写部に投写されている画像に重畳して投写させ、前記ズーム調整部の操作を検出すると、前記第２テスト画像を前記画像投写部に投写されている画像に重畳させて投写させることを特徴とする。
【０００８】
本適用例によれば、投写中にフォーカス調整またはズーム調整を検出した時点での入力画像を保存し、フォーカス調整およびズーム調整用の第１テスト画像および第２テスト画像を重畳して投写する。これにより、入力画像がビデオ入力など動画の場合であっても調整中に投写画像が静止するので、ちらつきのない状態で、フォーカス調整およびズーム調整をすることが可能となる。
【０００９】
［適用例２］上記適用例に記載のプロジェクターにおいて、前記制御部は、前記第１テスト画像または前記第２テスト画像を投写後、所定時間、フォーカス調整部またはズーム調整部の操作を検出しなかったら、前記第１テスト画像または前記第２テスト画像の投写を終了し、前記信号入力部から入力される前記画像信号に基づく画像を投写することを特徴とする。
【００１０】
本適用例によれば、投写中にフォーカス調整またはズーム調整をした後、所定時間調整操作をしなければテスト画像を消去し、入力画像の投写を再開するので、調整終了後にテスト画像を消去する操作を省くことが可能となる。
【００１１】
［適用例３］上記適用例に記載のプロジェクターにおいて、ユーザーからの入力操作を受け付ける入力操作部をさらに備え、前記制御部は、前記第１テスト画像または前記第２テスト画像を投写後、前記入力操作部よりテスト画像投写終了操作を受け付けた場合に、前記第１テスト画像または前記第２テスト画像の投写を終了し、前記信号入力部から入力される前記画像信号に基づく画像を投写することを特徴とする。
【００１２】
本適用例によれば、投写中にフォーカス調整またはズーム調整をした後、所定のテスト画像投写終了操作を受け付けた場合に、画像投写部よりテスト画像を消去し、入力画像の投写を再開するので、調整終了後にテスト画像を消去し、直ちに入力画像の投写を再開させることが可能となる。
【００１３】
［適用例４］上記適用例に記載のプロジェクターにおいて、前記制御部は、当該プロジェクターが起動すると、前記第１テスト画像および前記第２テスト画像と、前記信号入力部より入力される画像信号に応じた画像データとを前記画像投写部に重畳させて投写させることを特徴とする。
【００１４】
本適用例によれば、起動時にフォーカス調整およびズーム調整用のテスト画像が投写されるので、プロジェクターを設置し、投写を開始する際に調整用のテスト画像を表示させる手間を省略することが可能となる。
【００１５】
［適用例５］本適用例に係るプロジェクターの制御方法は、光源から射出された光を画像情報に応じて画像光に変調して投写する画像投写部と、外部機器から画像信号を入力する信号入力部と、前記信号入力部より入力される前記画像信号の画像データを保存する入力画像保存部と、画像のフォーカスを手動で調整するためのフォーカス調整部と、画像のズームサイズを手動で調整するためのズーム調整部と、第１テスト画像および第２テスト画像を保存するテスト画像保存部と、を備えたプロジェクターの制御方法であって、前記フォーカス調整部が操作されたことを検出する、フォーカス調整検出ステップと、前記ズーム調整部が操作されたことを検出する、ズーム調整検出ステップと、を備え、前記フォーカス調整部または前記ズーム調整部の操作を検出すると、前記信号入力部より入力される前記画像信号の画像データを前記入力画像保存部に保存するとともに前記画像データを前記画像投写部に投写させる入力画像保存ステップと、前記フォーカス調整部の操作を検出すると、前記第１テスト画像を前記画像投写部に投写されている画像に重畳して投写させ、前記ズーム調整部の操作を検出すると、前記第２テスト画像を前記画像投写部に投写されている画像に重畳させて投写させるテスト画像表示ステップと、を有することを特徴とする。
【００１６】
本適用例によれば、投写中にフォーカス調整またはズーム調整を検出した時点での入力画像を保存し、フォーカス調整およびズーム調整用のテスト画像を重畳して投写する。これにより、入力画像がビデオ入力など動画の場合であっても調整中に投写画像が静止するので、ちらつきのない状態で、フォーカス調整およびズーム調整をすることが可能となる。
【図面の簡単な説明】
【００１７】
【図１】プロジェクターの斜視図。
【図２】プロジェクターのフォーカス調整部、ズーム調整部を示す上面図。
【図３】プロジェクターの概略回路構成を示すブロック図。
【図４】プロジェクターの画像を調整する動作を示すフローチャート。
【図５】変形例１のプロジェクターの起動時の動作を示すフローチャート。
【図６】ズーム調整、フォーカス調整時の表示画面を示す図。（ａ）はフォーカス調整中の表示画面、（ｂ）はズーム調整中の表示、（ｃ）はフォーカスおよびズーム調整中の表示画面。
【発明を実施するための形態】
【００１８】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１９】
（第１実施形態）
図１は、本実施形態のプロジェクター１の斜視図である。
図１に示すように、プロジェクター１は、装置本体が筐体２によって覆われた構成になっている。筐体２の前面２ｆには投写レンズ１３が備えられており、筐体２の上面２ｔには、ユーザーにより入力操作が行われる複数の操作キーを備えた入力操作部２３、フォーカス調整部３１、ズーム調整部３２が備えられている。
【００２０】
図２は、フォーカス調整部３１、ズーム調整部３２を示す筐体２の部分上面図である。フォーカス調整部３１、ズーム調整部３２はリング状の形状であり、図２に示すように、それぞれフォーカス操作つまみ３１ａ、ズーム操作つまみ３２ａを備えている。
ユーザーがフォーカス操作つまみ３１ａや、ズーム操作つまみ３２ａを保持して操作することにより、画像のフォーカスを手動で調整するフォーカス調整と、画像のズームサイズを手動で調整するズーム調整を行うことができる。
【００２１】
図３は、本実施形態のプロジェクター１の回路構成を示すブロック図である。
図３に示すように、プロジェクター１は、画像投写部１０、制御部２０、記憶部２１、光源制御部２２、入力操作部２３、画像信号処理部３、ＯＳＤ処理部４、信号入力部としての画像信号入力部５、フォーカス調整部３１、ズーム調整部３２、フォーカス調整検出部３３、ズーム調整検出部３４、入力画像保存部４０等で構成されており、これらは筐体２の内部に収容されている。
【００２２】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調して画像光を形成し、この画像光を投写レンズ１３から投写することによってスクリーンＳＣ等に画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２４】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。
【００２５】
上記実施形態では、光源１１として光源ランプ１１ａを用いて投写するプロジェクター１を例示したが、本発明は光源としてＬＥＤ（Light Emitting Diode）光源やレーザー光源などを用いて投写するプロジェクターにも適用することができる。なお、上記の実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２６】
制御部２０は、図示しないＣＰＵ（Central Processing Unit）や、各種データ等の一時記憶に用いられる図示しないＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００２７】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。また、記憶部２１は、本実施形態におけるテスト画像保存部であり、フォーカス調整用のテスト画像である第１テスト画像２１ａと、ズーム調整用のテスト画像である第２テスト画像２１ｂが記憶される。
【００２８】
入力操作部２３は、プロジェクター１へ、ユーザーからの入力操作を受け付けるものであり、ユーザーがプロジェクター１に対して各種指示を行うための複数の操作キーを備えており、筐体２の外面に備えられる本体キーで構成される。また、遠隔操作で入力操作を行うリモートコントローラー（リモコン）などで構成させることもできる。
入力操作部２３が備える操作キーとしては、電源のオン・オフを交互に切り替えるための電源キーや、後述する画像信号入力部５に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。
ユーザーが入力操作部２３の各種操作キーを操作すると、入力操作部２３は、ユーザーの操作内容に応じた操作信号を制御部２０に出力する。
【００２９】
画像信号入力部５は、複数の画像入力端子を備えており、各画像入力端子より、ビデオ再生装置やパーソナルコンピューター等、外部の画像出力装置（外部機器）から、図示しないケーブルを介して画像情報が入力される。
【００３０】
画像信号処理部３は、画像信号入力部５から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部４は、画像信号処理部３から入力される画像情報を、そのまま液晶駆動部１４に出力する。
【００３２】
液晶駆動部１４は本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３からスクリーンＳＣへ投写される。
【００３３】
光源制御部２２は、制御部２０の指示に基づいて、光源１１に対する電力の供給と停止とを制御し、光源１１の点灯及び消灯を切り替える。
【００３４】
フォーカス調整検出部３３は、感圧スイッチ、ロータリースイッチなどで構成され、フォーカス調整部３１の操作を検出し、制御部２０に通知する。
【００３５】
ズーム調整検出部３４は、感圧スイッチ、ロータリースイッチなどで構成され、ズーム調整部３２の操作を検出し、制御部２０に通知する。
【００３６】
入力画像保存部４０は、制御部２０の指示により、指定した時点での入力画像データを保存する記憶装置である。
【００３７】
次に、本実施形態のプロジェクター１の画像を調整する動作を図４のフローチャートを用いて説明する。
【００３８】
（フォーカス調整）
図４に示すように、プロジェクター１が画像を投写中に、フォーカス調整検出部３３がフォーカス調整部３１の調整操作を検出すると（ステップＳ１０１）、現在入力中の画像を入力画像保存部４０に保存し、投写する（ステップＳ１０２）。
【００３９】
ステップＳ１０３において制御部２０は、第１テスト画像２１ａを投写中の画像に重畳して投写させ、ステップＳ１０７に移行する。このときの第１テスト画像２１ａの表示画面を図６（ａ）に示す。図６（ａ）のように、入力画像（ＡＢＣＤ）にフォーカス調整用の円および交差線で構成される第１テスト画像２１ａが重畳して投写される。
【００４０】
ステップＳ１０７において制御部２０は、タイマー２０ａによる計時を開始し（タイマースタート）、ステップＳ１０８に移行する。
【００４１】
ステップＳ１０８において制御部２０は、フォーカス調整検出部３３がフォーカス調整部３１の調整操作を検出したか否かを調べる。調整操作を検出した場合（ステップＳ１０８：Ｙ）、ステップＳ１０９に移行する。調整操作を検出していない場合（ステップＳ１０８：Ｎ）、ステップＳ１１１に移行する。
【００４２】
ステップＳ１０９において制御部２０は、第１テスト画像２１ａを投写中の入力画像に重畳して投写させ、ステップＳ１０７に移行する。
このとき、後述する第２テスト画像２１ｂが投写されていない場合は、図６（ａ）に示すように、投写中の入力画像（ＡＢＣＤ）に第１テスト画像２１ａのみが重畳して投写される。
または、すでに図６（ｂ）に示すような、ズーム調整用の投写範囲を太枠で示す第２テスト画像２１ｂが投写されていた場合は、図６（ｃ）に示すように、第１テスト画像２１ａと、第２テスト画像２１ｂとが入力画像（ＡＢＣＤ）に重畳して投写される。
【００４３】
ステップＳ１１１において制御部２０は、ズーム調整検出部３４がズーム調整部３２の調整操作を検出したか否かを調べる。調整操作を検出した場合（ステップＳ１１１：Ｙ）、ステップＳ１１２に移行する。調整操作を検出していない場合（ステップＳ１１１：Ｎ）、ステップＳ１１４に移行する。
【００４４】
ステップＳ１１２において制御部２０は、第２テスト画像２１ｂを投写中の入力画像に重畳して投写させ、ステップＳ１０７に移行する。
このとき、第１テスト画像２１ａが投写されていない場合は、図６（ｂ）に示すように、投写中の入力画像（ＡＢＣＤ）にズーム調整用の投写範囲を太枠で示す第２テスト画像２１ｂのみが重畳して投写される。
または、すでに第１テスト画像２１ａが投写されている場合は、図６（ｃ）に示すように、第１テスト画像２１ａと、第２テスト画像２１ｂとが入力画像（ＡＢＣＤ）に重畳して投写される。
【００４５】
ステップＳ１１４において制御部２０は、入力操作部２３より、テスト画像の調整終了操作を検出したか否かを調べる。テスト画像の調整終了操作を検出した場合（ステップＳ１１４：Ｙ）、ステップＳ１１６に移行する。テスト画像の調整終了操作を検出していない場合（ステップＳ１１４：Ｎ）、ステップＳ１１５へ移行する。
【００４６】
ステップＳ１１５において制御部２０は、タイマー２０ａが所定時間（例えば２秒）経過したか否かを調べる。タイマー２０ａが所定時間経過した場合（ステップＳ１１５：Ｙ）、ステップＳ１１６に移行し、所定時間経過していない場合（ステップＳ１１５：Ｎ）、ステップＳ１０８に移行する。
【００４７】
ステップＳ１１６において制御部２０は、タイマー２０ａによる計時を停止する。
次にステップＳ１１７において制御部２０は、第１テスト画像２１ａおよび第２テスト画像２１ｂの投写を終了（テスト画像の消去ともいう。）し、画像信号入力部５から入力される画像を投写し、本動作フローを終了する。
【００４８】
（ズーム調整）
プロジェクター１が画像を投写中に、ズーム調整検出部３４がズーム調整部３２の調整操作を検出すると（ステップＳ１０４）、現在入力中の画像を入力画像保存部４０に保存し、投写する（ステップＳ１０５）。
【００４９】
ステップＳ１０６において制御部２０は、第２テスト画像２１ｂを投写中の画像に重畳して投写させ、ステップＳ１０７に移行する。このときの第２テスト画像２１ｂの表示画面を図６（ｂ）に示す。図６（ｂ）のように入力画像（ＡＢＣＤ）に第２テスト画像２１ｂが重畳して投写される。
ステップＳ１０７以降の動作はフォーカス調整時の動作と同じなので説明は省略する。
【００５０】
以上説明したように、本実施形態のプロジェクター１によれば、投写中にフォーカス調整またはズーム調整を検出した時点での入力画像を保存し、フォーカス調整およびズーム調整用のテスト画像を重畳して投写する。
これにより、入力画像がビデオ入力など動画の場合であっても、調整中は投写画像が静止するので、ちらつきのない状態で、フォーカス調整およびズーム調整をすることが可能となる。
また、フォーカス調整またはズーム調整をした後、所定時間調整操作をしなければテスト画像を消去し、入力画像の投写を再開するので、調整終了後にテスト画像を消去する操作を省くことが可能となる。
【００５１】
また、上記実施形態は、以下のように変更してもよい。
（変形例１）
上記実施形態において、プロジェクター１の起動時に第１テスト画像２１ａ、および第２テスト画像２１ｂを投写するようにしてもよい。
【００５２】
本変形例のプロジェクター１の動作を図５のフローチャートを用いて説明する。
図５に示すように、プロジェクター１が起動（電源ＯＮ）し、投写を開始すると（ステップＳ２０１）、第１テスト画像２１ａ、および第２テスト画像２１ｂを画像信号入力部５から入力される画像に重畳して投写させる（ステップＳ２０２）。以降の動作は図４のステップＳ１０７からの動作と同じなので説明は省略する。
【００５３】
以上説明したように、本変形例のプロジェクター１によれば、起動時にフォーカス調整およびズーム調整用のテスト画像が投写されるので、プロジェクター１を設置し、投写開始する場合に調整画面を表示させる手間を省略することが可能となる。
【符号の説明】
【００５４】
１…プロジェクター、２…筐体、３…画像信号処理部、４…ＯＳＤ処理部、５…画像信号入力部、１０…画像投写部、１１…光源、１２Ｒ，１２Ｇ，１２Ｂ…液晶ライトバルブ、１３…投写レンズ、１４…液晶駆動部、２０…制御部、２１…記憶部、２２…光源制御部、２３…入力操作部、３１…フォーカス調整部、３２…ズーム調整部、３３…フォーカス調整検出部、３４…ズーム調整検出部、４０…入力画像保存部。
【図１】
0005728976.tif 000002
【図２】
0005728976.tif 000003
【図３】
0005728976.tif 000004
【図４】
0005728976.tif 000005
【図５】
0005728976.tif 000006
【図６】
0005728976.tif 000007